(57)【要約】【課題】感電を防止しながら、メインテナンスの作業効率を向上させることができる照明器具を提供する。【解決手段】蓋部１２が容器部１０に取り付けられた場合には、回動部１６が突出部２０によって第１の方向に回動させられた状態になる。また、発光部１４ａから発せられた光が、反射部１７で反射された後、窓部１８を通過するように、発光体モジュール１４が第１の方向に沿って移動させられた状態になる。一方、蓋部１２が容器部１０から取り外された場合には、回動部１６が自重により第１の方向とは逆の第２の方向に回動した状態になる。また、蓋部１２が容器部１０から取り外された場合には、蓋部１２が容器部１０に取り付けられている場合に比較して、反射部１７と発光体モジュール１４との間に形成された可変空間Ｙが狭くなる。【選択図】図４
2018190640.tif 000002
【特許請求の範囲】
【請求項１】
収容空間を形作る容器部と、
前記収容空間において位置が固定され、前記容器部の開放端に向かって光を反射する反射部と、
前記収容空間において前記反射部に対して回動するように配置された回動部と、
発光部を有し、前記発光部が前記反射部に対向するように、前記回動部に取り付けられた発光体モジュールと、
光が透過可能な窓部および前記収容空間に挿入される突出部を含み、前記収容空間を覆うように前記容器部に取り付けられたり、前記収容空間を露出させるように前記容器部から取り外されたりする蓋部と、を備え、
前記蓋部が前記容器部に取り付けられた場合には、前記回動部が前記突出部によって第１の方向に回動させられた状態になり、かつ、前記発光部から発せられた光が、前記反射部で反射された後、前記窓部を通過するように、前記発光体モジュールが前記第１の方向に沿って移動させられた状態になり、
前記蓋部が前記容器部から取り外された場合には、前記回動部が自重により前記第１の方向とは逆の第２の方向に回動した状態になり、かつ、前記蓋部が前記容器部に取り付けられている場合に比較して、前記反射部と前記発光体モジュールとの間に形成された可変空間が狭くなる、照明器具。
【請求項２】
前記蓋部が前記容器部から取り外された場合には、前記発光体モジュールが前記反射部と前記回動部とによって内包される、請求項１に記載の照明器具。
【請求項３】
前記反射部および前記回動部の少なくともいずれか一方に、前記蓋部が前記容器部から取り外された場合に、前記反射部と前記回動部との間に挟まれるように設けられた第１の弾性部が設けられた、請求項１または２に記載の照明器具。
【請求項４】
前記回動部および前記突出部の少なくともいずれか一方に、前記蓋部が前記容器部に取り付けられた場合に、前記回動部と前記突出部との間に挟まれるように設けられた第２の弾性部をさらに備えた、請求項１〜３のいずれかに記載の照明器具。
【請求項５】
前記発光体モジュールに電力を供給する電源部をさらに備え、
前記電源部は、前記収容空間において前記可変空間以外の空間に設けられた、請求項１〜４のいずれかに記載の照明器具。
【発明の詳細な説明】
【技術分野】
【０００１】
本発明は、点検および補修等のメインテナンスが実行される照明器具に関する。
【背景技術】
【０００２】
従来から、たとえば、高速道路の側壁の上端に取り付けられ、高速道路を走行する車両のために、光を道路上に照射する照明器具の開発が行われている。このような従来の照明器具は、容器部と蓋部との間に発光部および電源等が格納されている。照明器具が高速道路の側壁等に設置されている場合には、蓋部を取り外すことにより、高速道路上において照明器具の内部構造の点検または補修等のメインテナンスが行われている。
【先行技術文献】
【特許文献】
【０００３】
【特許文献１】特開２０１３−１４９６０７号公報
【発明の概要】
【発明が解決しようとする課題】
【０００４】
上記した従来の照明器具の内部には、発光体モジュールが設けられている。そのため、作業員が、照明器具の内部の点検または補修作業のときに、蓋部を取り外すと、発光体モジュールが露出する。作業員は、発光体モジュールに触れると、感電するおそれがある。
【０００５】
そのため、従来の照明器具においては、二重蓋が容器部に取り付けられている場合がある。二重蓋とは、大蓋部と大蓋部の一部を構成する小蓋部とを有する蓋である。この場合、作業員は、照明器具の内部の電源の点検または補修等のメインテナンスのときは、大蓋部を取り外すことなく、作業用の小蓋部を取り外して、電源の点検または補修を行う。小蓋部が取り外された状態の大蓋部は、発光体モジュールを覆うように、容器部に取り付けられている。そのため、作業員の感電が防止されている。
【０００６】
しかしながら、小蓋部を開けても、たとえば、電源部およびその周辺構造のみが露出するだけであるため、作業スペースは小さい。そのため、照明器具の内部の点検または補修等のメインテナンスの作業効率が低下してしまう。
【０００７】
本発明は、このような従来技術の有する課題に鑑みてなされたものである。そして、本発明の目的は、感電を防止しながら、メインテナンスの作業効率を向上させることができる照明器具を提供することである。
【課題を解決するための手段】
【０００８】
上記課題を解決するために、本発明の態様に係る照明器具は、収容空間を形作る容器部と、前記収容空間において位置が固定され、前記容器部の開放端に向かって光を反射する反射部と、前記収容空間において前記反射部に対して回動するように配置された回動部と、発光部を有し、前記発光部が前記反射部に対向するように、前記回動部に取り付けられた発光体モジュールと、光が透過可能な窓部および前記収容空間に挿入される突出部を含み、前記収容空間を覆うように前記容器部に取り付けられたり、前記収容空間を露出させるように前記容器部から取り外されたりする蓋部と、を備え、前記蓋部が前記容器部に取り付けられた場合には、前記回動部が前記突出部によって第１の方向に回動させられた状態になり、かつ、前記発光部から発せられた光が、前記反射部で反射された後、前記窓部を通過するように、前記発光体モジュールが前記第１の方向に沿って移動させられた状態になり、前記蓋部が前記容器部から取り外された場合には、前記回動部が自重により前記第１の方向とは逆の第２の方向に回動した状態になり、かつ、前記蓋部が前記容器部に取り付けられている場合に比較して、前記反射部と前記発光体モジュールとの間に形成された可変空間が狭くなる。
【発明の効果】
【０００９】
本発明によれば、感電を防止しながら、メインテナンスの作業効率を向上させることができる。
【図面の簡単な説明】
【００１０】
【図１】本発明の実施の形態の照明器具の使用状態を説明するための図である。
【図２】本発明の実施の形態の照明器具の窓部の取り付け位置を示す図である。
【図３】本発明の実施の形態の照明器具の蓋部が容器部に取り付けられた状態を説明するための図である。
【図４】本発明の実施の形態の照明器具の蓋部が容器部から取り外された状態を説明するための図である。
【図５】本発明の実施の形態の照明器具の使用時の内部構造の部分斜視図であって、一部が省略して描かれている図である。
【発明を実施するための形態】
【００１１】
以下、図面を参照しながら、実施の形態の照明器具を説明する。各図面においては、同一の参照符号が同一の部分に付されている。同一の参照符号が付された同一の部分の説明は、特に必要がなければ、各図を用いた説明において繰り返されない。
【００１２】
図１に示されるように、照明器具１００は、高速道路の側壁２００の上端に取り付けられ、高速道路を走る車両のために、光を道路上に照射するためのものである。照明器具１００は、容器部１０と蓋部１２とによって内部構造が覆われている。照明器具１００が高速道路の側壁２００等に設置されている場合には、蓋部１２を取り外すことにより、高速道路上において照明器具１００の内部の点検または補修等のメインテナンスが行われている。
【００１３】
図１および図２に示されるように、照明器具１００は、窓部１８を有する蓋部１２を正面側に備えている。また、照明器具１００は、容器部１０を背面側に備えている。照明器具１００が発する光は、窓部１８から下方に向かって照射され、照明器具１００の斜め下方の高速道路の路面に照射される。
【００１４】
図３〜図５に示されるように、照明器具１００は、容器部１０、支持部３９、反射部１７、回動部１６、発光体モジュール１４、蝶番１５、および蓋部１２を備えている。
【００１５】
容器部１０は、収容空間Ｘを形作る。容器部１０は、本実施の形態においては、枡のように、直方体の５つの平面の位置に平板部材が設けられ、直方体の他の１つの平面が開放されている形状を有している。しかしながら、容器部１０は、鉢のように、周面が円筒でかつ一方の底面が円板で塞がれており、他方の底面が開放されているものであってもよい。本実施の形態の照明器具１００は、容器部１０の底面が鉛直方向に沿って延びるように、すなわち、容器部１０の開口が鉛直方向に沿って延びるように、高速道路の側壁の上端に設置されている。
【００１６】
支持部３９は、容器部１０の内面、本実施の形態では、容器部１０の底面に固定されている。支持部３９は、外側支持部１９と内側支持部１３とによって構成されている。
【００１７】
外側支持部１９は、容器部１０の底面に溶接接合またはボルト接合等によって固定された固定平板部１９ａを有している。外側支持部１９は、固定平板部１９ａの上端から水平方向に、すなわち、固定平板部１９ａに対して垂直な方向に延びる平板状の外側支持部側の接続部１９ｂを有している。
【００１８】
内側支持部１３は、外側支持部１９の内側面に溶接接合、ボルト接合、または接着材等によって固定された固定平板部１３ａを有している。内側支持部１３は、固定平板部１３ａの上端から水平方向に、すなわち、固定平板部１３ａに対して垂直な方向に延びる平板状の内側支持部側の接続部１３ｂを有している。内側支持部１３は、固定平板部１３ａの下端から水平方向に、すなわち、固定平板部１３ａに対して垂直な方向に延びる平板状受部１３ｃを有している。内側支持部１３は、平板状受部１３ｃの内側端から鉛直方向において下方に向かって延びる平板状の内側支持部側の接続部１３ｄを有している。
【００１９】
本実施の形態においては、支持部３９を有する照明器具１００を開示しているが、以下に説明される反射部１７に対して以下に説明される回動部１６が相対的に回動できるのであれば、支持部３９は特に必須の構成ではない。
【００２０】
反射部１７は、支持部３９に固定されることによって、容器部１０内の収容空間Ｘにおいて位置が固定されている。ただし、反射部１７は、容器部１０に直接固定されていてもよい。反射部１７は、容器部１０の底面側から開放端に向かって光を反射する反射面部１７ａを有している。反射面部１７ａは、後述される発光部１４ａが発した光が後述される窓部１８に向かうような曲面形状を有している。反射面部１７ａは、容器部１０の開放端に向く凹面を有している。ただし、反射面部１７ａは、発光部１４ａが発した光を開放端に向かって反射する形状であれば、平面形状を有していてもよく、また、複数の平面形状の組合せであってもよい。反射部１７は、反射面部１７ａの上端から水平方向において外側に向かって延びる平板状の反射部側の接続部１７ｂを備えている。反射部１７は、反射面部１７ａの下端から鉛直方向において下方に向かって延びる平板状の反射部側の接続部１７ｃを備えている。
【００２１】
内側支持部側の接続部１３ｂと反射部側の接続部１７ｂとは、溶接接合、ボルト接合、または接着材等によって接続されている。内側支持部側の接続部１３ｄと反射部側の接続部１７ｃとも、同様に、溶接接合、ボルト接合、または接着材等によって接続されている。
【００２２】
回動部１６は、容器部１０内の収容空間Ｘにおいて反射部１７に対して回転動作するように配置されている。回動部１６は、メインプレート部１６ａを有している。回動部１６は、メインプレート部１６ａの下側端からメインプレート部１６ａに対して垂直な方向において反射部１７とは逆側に向かって延びる下側プレート部１６ｂを有している。回動部１６は、メインプレート部１６ａの上側端からメインプレート部１６ａに対して交差する方向に延びるサブプレート部１６ｃを有している。回動部１６は、サブプレート部１６ｃから垂直な方向において反射部１７とは逆側に向かって延びる上側プレート部１６ｄを有している。
【００２３】
メインプレート部１６ａの反射部１７に対向する主表面上には、第１の弾性部１６ｅ，１６ｆが設けられている。第１の弾性部１６ｅ，１６ｆは、反射部１７および回動部１６の少なくともいずれか一方に、蓋部１２が容器部１０から取り外された場合に、反射部１７と回動部１６との間に挟まれるように設けられている。そのため、反射部１７と回動部１６とが直接衝突することに起因して生じる悪影響、たとえば、反射面部１７ａの変形を抑制することができる。本実施の形態においては、第１の弾性部１６ｅ，１６ｆは、回動部１６の発光体モジュール１４が設けられている主表面上の２カ所に設けられている。しかしながら、反射部１７と回動部１６とが直接衝突しないのであれば、第１の弾性部１６ｅ，１６ｆのうちの一方のみが設けられていてもよい。
【００２４】
発光体モジュール１４は、電力の供給を受けて光を発する複数の発光部１４ａと、複数の発光部１４ａが主表面上に一列に並んで取り付けられた基板１４ｂとを有している。発光体モジュール１４は、発光部１４ａが反射部１７に対向するように、回動部１６に取り付けられている。発光体モジュール１４は、反射部１７と回動部１６との間に位置付けられている。発光部１４ａは、反射面部１７ａに向かって光を発する。発光部１４ａは、本実施の形態においては、ＬＥＤ（Light Emitting Diode）であるが、電力の供給を受けて、光を発するものであれば、いかなるものであってもよい。
【００２５】
蝶番１５は、一方のプレート部１５ａ、他方のプレート部１５ｂ、および一方のプレート部１５ａと他方のプレート部１５ｂとを互いに対して回動可能に接続するヒンジ部１５ｃを含んでいる。蝶番１５は、一方のプレート部１５ａが支持部３９の外側支持部側の接続部１９ｂに固定され、他方のプレート部１５ｂが回動部１６のメインプレート部１６ａに固定されている。
【００２６】
具体的には、一方のプレート部１５ａは、外側支持部１９の接続部１９ｂに、溶接接合、ボルト接合、または接着材等によって固定されている。他方のプレート部１５ｂは、回動部１６の反射部１７に対向する主表面上に、溶接接合、ボルト接合、または接着材等によって固定されている。
【００２７】
本実施の形態においては、ヒンジ部１５ｃは、支持部３９および回動部１６のそれぞれから独立した１つの部品としての蝶番１５の一部を構成している。しかしながら、ヒンジ部１５ｃは、支持部３９と回動部１６とを回動可能に接続するのであれば、支持部３９および回動部１６のそれぞれの一部を構成する部分であってもよい。
【００２８】
また、回動部１６が容器部１０内で反射部１７に対して回転動作するように配置されているのであれば、蝶番１５は必須の構成ではない。たとえば、反射部１７と回動部１６とがヒンジ部１５ｃによって直接接続されていてもよい。また、回動部１６が容器部１０の内面に回動可能に接続されていてもよい。
【００２９】
蓋部１２は、光が透過可能な窓部１８を有している。蓋部１２は、容器部１０の底面に向かって突出しており、収容空間Ｘに挿入される突出部２０を有している。突出部２０は、蓋部１２の内側面に固定された固定部２０ａを備えている。突出部２０は、固定部２０ａの下端から蓋部１２に対して垂直な方向であって、水平方向に延びる平板部２０ｂを備えている。突出部２０は、平板部２０ｂの先端から下方へ延びる先端部２０ｃを備えている。
【００３０】
蓋部１２は、図３に示されるように、容器部１０の収容空間Ｘを覆うように容器部１０に取り付けられたり、図４に示されるように、収容空間Ｘを露出させるように容器部１０から取り外されたりする。
【００３１】
図３に示されるように、蓋部１２が容器部１０に取り付けられた場合には、突出部２０が回動部１６を押すことによって、回動部１６は、第１の方向（図３および図４では反時計回り）に回動させられた状態になる。具体的には、突出部２０の先端部２０ｃが回動部１６の上側プレート部１６ｄを押しながら、容器部１０の底面へ向かって移動させる。
【００３２】
それにより、回動部１６は、ヒンジ部１５ｃの回転軸まわりに反射部１７から遠ざかるように回動した状態になる。その結果、発光部１４ａから発せられた光が、反射部１７で反射された後、窓部１８を通過するように、発光体モジュール１４が前述の第１の方向に沿って移動させられた状態になる。したがって、照明器具１００は、窓部１８から斜め下方に光を発することにより、高速道路の路面に光を照射する。この状態では、反射部１７と回動部１６との間に形成された可変空間Ｙは最も広くなっている。
【００３３】
図４に示されるように、蓋部１２が容器部１０から取り外された場合には、突出部２０の先端部２０ｃが回動部１６の上側プレート部１６ｄとともに、容器部１０の底面から離れる方向に移動した状態になる。それにより、回動部１６は、自重によりヒンジ部１５ｃの回転軸まわりに前述の第１の方向とは逆の第２の方向（図３および図４では時計回り）に、すなわち、反射部１７に近づく方向に回動した状態になる。その結果、蓋部１２が容器部１０から取り外された場合には、蓋部１２が容器部１０に取り付けられている場合に比較して、反射部１７と回動部１６との間に形成された空間、すなわち、反射部１７と発光体モジュール１４との間に形成された可変空間Ｙが狭くなる。本実施の形態においては、反射部１７の反射面部１７ａの一部と回動部１６の下端部とが接触することにより、発光体モジュール１４が反射部１７と回動部１６とによって内包されている。
【００３４】
したがって、蓋部１２が容器部１０から取り外された状態で、照明器具１００の内部を点検または補修するときに、作業員が発光体モジュール１４に触れ難い。つまり、作業員の指等が、反射部１７と回動部１６との間に形成された可変空間Ｙに入り込み、発光体モジュール１４に触れてしまうおそれが低減されている。そのため、作業員が発光体モジュール１４に触れ、感電が生じるおそれを低減することができる。また、蓋部１２が取り外され、容器部１０の収容空間Ｘ内の全構造を露出させることができる。その結果、電源部１１が露出しているため、メインテナンスの作業効率を向上させることができる。
【００３５】
本実施の形態においては、蓋部１２が容器部１０から取り外されている場合に、反射面部１７ａと回動部１６の下端との間の隙間が無くなっている。つまり、反射部１７の一部と回動部１６の一部とが接触する。これにより、発光体モジュール１４は、反射部１７と回動部１６によって内包される。したがって、作業員が発光体モジュール１４に触れることを確実に防止することができる。ただし、作業者が誤って指を反射部１７と回動部１６との間の可変空間Ｙに挿入してしまうことが抑制されるのであれば、反射部１７と回動部１６の下端との間の間隙が多少残存していてもよい。
【００３６】
なお、反射面部１７ａと回動部１６の下端との間の隙間が残存する場合においても、回動部１６が反射面部１７ａに衝突することを防止する観点から、第１の弾性部１６ｅ，１６ｆの少なくともいずれか一方が設けられていることが好ましい。また、反射部１７の反射に悪影響を与えないのであれば、第１の弾性部１６ｅ，１６ｆが反射部１７、たとえば、反射面部１７ａに設けられていてもよい。
【００３７】
照明器具１００は、発光体モジュール１４に電力を供給する電源部１１を備えている。電源部１１は、収容空間Ｘにおいて反射部１７と発光体モジュール１４との間に形成された可変空間Ｙ以外の空間に設けられている。そのため、作業員が、点検または補修の頻度が高い電源部１１および周辺構造を点検するときに、発光体モジュール１４に触れてしまうことを確実に抑制することができる。
【００３８】
照明器具１００は、回動部１６および突出部２０の少なくともいずれか一方に、蓋部１２が容器部１０に取り付けられた場合に回動部１６と突出部２０との間に挟まれるように設けられた第２の弾性部２１を備えている。これによれば、第２の弾性部２１が、回動部１６と突出部２０との間の隙間を埋める。
【００３９】
本実施の形態においては、第２の弾性部２１は、突出部２０の先端に設けられているが、回動部１６の表面の突出部２０の延長線上に設けられていてもよい。また、第２の弾性部２１が突出部２０の先端および回動部１６の表面の突出部２０の延長線上の双方に設けられていてもよい。
【００４０】
本実施の形態においては、突出部２０が回動部１６を押したときに、第２の弾性部２１が突出部２０と回動部１６との間に生じる押圧力を吸収する。そのため、蝶番１５に過度な応力負担が生じることを抑制することができる。したがって、蝶番１５に不具合が生じるおそれが低減される。
【００４１】
以下、実施の形態の照明器具１００の特徴的構成およびそれにより得られる効果が奏される。
【００４２】
（１）  照明器具１００は、容器部１０、反射部１７、回動部１６、発光体モジュール１４、および蓋部１２を備えている。容器部１０は、収容空間Ｘを形作る。反射部１７は、収容空間Ｘにおいて位置が固定され、容器部１０の開放端に向かって光を反射する。回動部１６は、収容空間Ｘにおいて反射部１７に対して回動するように配置されている。発光体モジュール１４は、発光部１４ａを有し、発光部１４ａが反射部１７に対向するように、回動部１６に取り付けられている。蓋部１２は、光が透過可能な窓部１８および収容空間Ｘに挿入される突出部２０を含む。蓋部１２は、収容空間Ｘを覆うように容器部１０に取り付けられたり、収容空間Ｘを露出させるように容器部１０から取り外されたりする。
【００４３】
蓋部１２が容器部１０に取り付けられた場合には、回動部１６が突出部２０によって第１の方向に回動させられた状態になる。また、発光部１４ａから発せられた光が、反射部１７で反射された後、窓部１８を通過するように、発光体モジュール１４が第１の方向に沿って移動させられた状態になる。一方、蓋部１２が容器部１０から取り外された場合には、回動部１６が自重により第１の方向とは逆の第２の方向に回動した状態になる。また、蓋部１２が容器部１０から取り外された場合には、蓋部１２が容器部１０に取り付けられている場合に比較して、反射部１７と発光体モジュール１４との間に形成された可変空間Ｙが狭くなる。このため、感電を防止しながら、メインテナンスの作業効率を向上させることができる。
【００４４】
（２）  蓋部１２が容器部１０から取り外された場合には、発光体モジュール１４が反射部１７と回動部１６とによって内包される。そのため、作業員の指等が、反射部１７と回動部１６との間に形成された可変空間Ｙに入り込み、発光体モジュール１４に触れてしまうことをより確実に抑制することができる。
【００４５】
（３）  反射部１７および回動部１６の少なくともいずれか一方に、蓋部１２が容器部１０から取り外された場合に、反射部１７と回動部１６との間に挟まれるように設けられた第１の弾性部１６ｅ，１６ｆが設けられていてもよい。これによれば、反射部１７と回動部１６とが直接衝突することに起因した悪影響を緩和することができる。
【００４６】
（４）  照明器具１００は、回動部１６および突出部２０の少なくともいずれか一方に、蓋部１２が容器部１０に取り付けられた場合に回動部１６と突出部２０との間に挟まれるように設けられた第２の弾性部２１を備えていてもよい。これによれば、回動部１６と突出部２０とが直接衝突することに起因した悪影響を緩和することができる。
【００４７】
（５）  照明器具１００は、発光体モジュール１４に電力を供給する電源部１１を備えていてもよい。この場合、電源部１１は、収容空間Ｘにおいて可変空間Ｙ以外の空間に設けられていることが好ましい。これによれば、作業員が、点検頻度が高い電源部１１および周辺構造を点検または補修するときに、発光体モジュール１４に触れてしまうことを確実に抑制することができる。
【符号の説明】
【００４８】
１０  容器部
１１  電源部
１２  蓋部
１４  発光体モジュール
１４ａ  発光部
１６  回動部
１６ｅ，１６ｆ  第１の弾性部
１７  反射部
１８  窓部
２０  突出部
２１  第２の弾性部
Ｘ  収容空間
Ｙ  可変空間
【図１】
2018190640.tif 000003
【図２】
2018190640.tif 000004
【図３】
2018190640.tif 000005
【図４】
2018190640.tif 000006
【図５】
2018190640.tif 000007